(57)【特許請求の範囲】
【請求項１】
人体の胸部を撮像した胸部画像データを用いて、胸部への電子機器の植え込みを検出する電子機器植え込み検出装置において、
人体の胸部を撮像した胸部画像データを入力する画像データ入力部と、
上記人体の身長を入力する入力部と、
画像データ入力部が入力した胸部画像データを解析して、電子機器のリード線の配線が存在する配線領域を抽出する配線領域抽出部と、
リード線の長さと、リード線の配線が存在しない人体の胸部のサンプル画像データを記憶したファイルを示すサンプル画像ファイル名とを、身長に対応して記憶するラインパターン記憶部と、
入力部が入力した身長に対応するサンプル画像ファイル名とリード線の長さとを、ラインパターン記憶部から取得し、取得したサンプル画像ファイル名が示すファイルに記憶されたサンプル画像データと、上記胸部画像データのうち配線領域抽出部が抽出した配線領域に対応する画像データとの差異を検出し、検出した差異に基づいて配線領域に存在する電子機器のリード線の長さを取得し、取得した配線領域に存在する電子機器のリード線の長さとラインパターン記憶部から取得したリード線の長さとを比較して上記配線領域に、電子機器のリード線の配線によるライン映像があるか否かを検出するライン映像検出部と、
ライン映像検出部による電子機器のリード線の配線によるライン映像があるか否かの検出結果に基づいて、胸部画像データが、胸部に電子機器が植え込まれていることを示している画像データであると判定する機器植え込み判定部と、
機器植え込み判定部により、胸部画像データが、胸部に電子機器が植え込まれていることを示している画像データであると判定された場合に、警告信号を出力する警告出力部とを備えたことを特徴とする電子機器植え込み検出装置。
【請求項２】
配線領域抽出部は、画像データ入力部が入力した胸部画像データから、肺野領域を上記配線領域として撮像した画像データを抽出する肺野領域抽出部を備えたことを特徴とする請求項１記載の電子機器植え込み検出装置。
【請求項３】
配線領域抽出部は、画像データ入力部が入力した胸部画像データから、縦隔領域を上記配線領域として撮像した画像データを抽出する縦隔領域抽出部を備えたことを特徴とする請求項１又は２記載の電子機器植え込み検出装置。
【請求項４】
配線領域抽出部は、画像データ入力部が入力した胸部画像データから、血管領域を上記配線領域として撮像した画像データを抽出する血管領域抽出部を備えたことを特徴とする請求項１〜３いずれかに記載の電子機器植え込み検出装置。
【請求項５】
配線領域抽出部は、画像データ入力部が入力した胸部画像データから、心臓領域を上記配線領域として撮像した画像データを抽出する心臓領域抽出部を備えたことを特徴とする請求項１〜４いずれかに記載の電子機器植え込み検出装置。
【請求項６】
配線領域抽出部は、画像データ入力部が入力した胸部画像データから、鎖骨下静脈領域を上記配線領域として撮像した画像データを抽出する鎖骨下静脈領域抽出部を備えたことを特徴とする請求項１〜５いずれかに記載の電子機器植え込み検出装置。
【請求項７】
配線領域抽出部は、画像データ入力部が入力した胸部画像データから、心臓の右心房と右心室との少なくとも何れかの房室領域を上記配線領域として撮像した房室画像データを抽出する房室領域抽出部を備え、
電子機器植え込み検出装置は、房室領域抽出部が抽出した房室画像データから、房室領域にライン映像の端部があるか否かを検出するライン端検出部を備えたことを特徴とする請求項１〜６いずれかに記載の電子機器植え込み検出装置。
【請求項８】
血管領域抽出部は、上記血管領域を撮像した画像データから、静脈領域を撮像した静脈画像データを抽出し、
ライン映像検出部は、静脈画像データから、静脈領域にライン映像があるか否かを検出することを特徴とする請求項４記載の電子機器植え込み検出装置。
【請求項９】
上記血管領域抽出部は、上記静脈領域を撮像した静脈画像データから、上大静脈領域を撮像した静脈画像データを抽出することを特徴とする請求項８記載の電子機器植え込み検出装置。
【請求項１０】
上記電子機器植え込み検出装置は、リード線を有する人体の胸部を撮影したサンプル画像データを記憶するサンプル画像データ記憶部を備え、
機器植え込み判定部は、上記ライン映像検出部による電子機器のリード線の配線によるライン映像があるか否かの検出結果が、ライン映像があるとの検出結果である場合、上記サンプル画像データ記憶部に記憶されたサンプル画像データのリード線の映像とライン映像とをパターンマッチングして、ライン映像がリード線の映像であるか否かを判定し、ライン映像がリード線の映像であることを判定した場合、胸部画像データが、胸部に電子機器が植え込まれていることを示している画像データであると判定することを特徴とする請求項１〜９いずれかに記載の電子機器植え込み検出装置。
【請求項１１】
上記電子機器植え込み検出装置は、胸部に植え込まれる補助具であってリード線を除く補助具を有する人体の胸部を撮影した画像データを除外画像データとして記憶するファイルのファイル名を除外画像情報として記憶する除外画像データ記憶部を備え、
機器植え込み判定部は、上記ライン映像がリード線の映像であることを判定した場合、上記除外画像データ記憶部に記憶された除外画像情報が示すファイルに記憶された除外画像データの補助具の映像と上記ライン映像とをパターンマッチングして、上記ライン映像が上記補助具の映像であるか否かを判定し、上記ライン映像が上記補助具の映像でないと判定した場合、胸部画像データが、胸部に電子機器が植え込まれていることを示している画像データであると判定することを特徴とする請求項１０記載の電子機器植え込み検出装置。
【請求項１２】
請求項１〜１１いずれかに記載の電子機器植え込み検出装置と、
電子機器植え込み検出装置の警告出力部から出力された警告信号を入力して、記憶装置に記憶するサーバ装置と、
サーバ装置から警告信号を入力して、警告情報を画面に出力する端末装置と
を備えたことを特徴とする警告システム。
【請求項１３】
請求項１〜１１いずれかに記載の電子機器植え込み検出装置と、
電子機器植え込み検出装置の警告出力部から出力された警告信号を入力して、記憶装置に記憶するサーバ装置と、
サーバ装置から警告信号を入力した場合、撮像動作を禁止する撮像装置と
を備えたことを特徴とする警告システム。
【請求項１４】
人体の胸部を撮像した胸部画像データを用いて、胸部への電子機器の植え込みを検出する電子機器植え込み検出装置により実行するプログラムにおいて、
リード線の長さと、リード線の配線が存在しない人体の胸部のサンプル画像データを記憶したファイルを示すサンプル画像ファイル名とを、身長に対応して電子機器植え込み検出装置のラインパターン記憶部にセントラル・プロセッシング・ユニット（Ｃｅｎｔｒａｌ  Ｐｒｏｃｅｓｓｉｎｇ  Ｕｎｉｔ、以下「ＣＰＵ」と称する）により記憶する処理と、
画像データ入力部によって、人体の胸部を撮像した胸部画像データを通信装置により入力する画像データ入力処理と、
入力部によって、上記人体の身長を入力装置により入力する処理と、
配線領域抽出部によって、画像データ入力処理で入力した胸部画像データを上記ＣＰＵにより解析して、電子機器のリード線の配線が存在する配線領域を抽出する配線領域抽出処理と、
ライン映像検出部によって、人体の身長を入力する処理によって入力した身長に対応するサンプル画像ファイル名とリード線の長さとを、ラインパターン記憶部から取得し、取得したサンプル画像ファイル名が示すファイルに記憶されたサンプル画像データと、上記胸部画像データのうち配線領域抽出処理で抽出した配線領域に対応する画像データとの差異を検出し、検出した差異に基づいて配線領域に存在する電子機器のリード線の長さを取得し、取得した配線領域に存在する電子機器のリード線の長さとラインパターン記憶部から取得したリード線の長さとを比較して上記配線領域に、電子機器のリード線の配線によるライン映像があるか否かを上記ＣＰＵにより検出するライン映像検出処理と、
機器植え込み判定部によって、ライン映像検出処理による電子機器のリード線の配線によるライン映像があるか否かの検出結果に基づいて、胸部画像データが、胸部に電子機器が植え込まれていることを示している画像データであると上記ＣＰＵにより判定する機器植え込み判定処理と、
警告出力部によって、機器植え込み判定処理で、胸部画像データが、胸部に電子機器が植え込まれていることを示している画像データであると判定された場合に、警告信号を通信装置により出力する警告出力処理と
をコンピュータに実行させることを特徴とするプログラム。
【請求項１５】
肺野領域抽出部によって、上記胸部画像データから、肺野領域を上記配線領域として撮像した画像データを上記ＣＰＵにより抽出する肺野領域抽出処理をコンピュータに実行させることを特徴とする請求項１４記載のプログラム。
【請求項１６】
縦隔領域抽出部によって、上記胸部画像データから、縦隔領域を上記配線領域として撮像した画像データを上記ＣＰＵにより抽出する縦隔領域抽出処理をコンピュータに実行させることを特徴とする請求項１４又は１５記載のプログラム。
【請求項１７】
血管領域抽出部によって、上記胸部画像データから、血管領域を上記配線領域として撮像した画像データを上記ＣＰＵにより抽出する血管領域抽出処理をコンピュータに実行させることを特徴とする請求項１４〜１６いずれかに記載のプログラム。
【請求項１８】
心臓領域抽出部によって、上記胸部画像データから、心臓領域を上記配線領域として撮像した画像データを上記ＣＰＵにより抽出する心臓領域抽出処理をコンピュータに実行させることを特徴とする請求項１４〜１７いずれかに記載のプログラム。
【請求項１９】
配線領域抽出部によって、上記胸部画像データから、鎖骨下静脈領域を上記配線領域として撮像した画像データを抽出する鎖骨下静脈領域抽出処理をコンピュータに実行させることを特徴とする請求項１４〜１８いずれかに記載のプログラム。
【請求項２０】
鎖骨下静脈領域抽出部によって、上記胸部画像データから、心臓の右心房と右心室との少なくとも何れかの房室領域を上記配線領域として撮像した房室画像データを上記ＣＰＵにより抽出する房室領域抽出処理と、
ライン端検出部によって、上記房室画像データから、房室領域にライン映像の端部があるか否かを検出するライン端検出処理と
をコンピュータに実行させることを特徴とする請求項１４〜１９いずれかに記載のプログラム。
【請求項２１】
血管領域抽出部によって、上記血管領域を撮像した画像データから、静脈領域を撮像した静脈画像データを上記ＣＰＵにより抽出する処理と、
ライン映像検出部によって、上記静脈画像データから、静脈領域にライン映像があるか否かを検出する処理と
をコンピュータに実行させることを特徴とする請求項１７記載のプログラム。
【請求項２２】
血管領域抽出部によって、上記静脈領域を撮像した静脈画像データから、上大静脈領域を撮像した静脈画像データを抽出する処理をコンピュータに実行させることを特徴とする請求項２１記載のプログラム。
【請求項２３】
リード線を有する人体の胸部を撮影したサンプル画像データを電子機器植え込み検出装置のサンプル画像データ記憶部に上記ＣＰＵにより記憶する処理と、
機器植え込み判定部によって、上記ライン映像検出部による電子機器のリード線の配線によるライン映像があるか否かの検出結果が、ライン映像があるとの検出結果である場合、上記サンプル画像データ記憶部に記憶されたサンプル画像データのリード線の映像とライン映像とをパターンマッチングして、ライン映像がリード線の映像であるか否かを判定し、ライン映像がリード線の映像であることを判定した場合、胸部画像データが、胸部に電子機器が植え込まれていることを示している画像データであると判定する処理と
をコンピュータに実行させることを特徴とする請求項１４〜２２いずれかに記載のプログラム。
【請求項２４】
胸部に植え込まれる補助具であってリード線を除く補助具を有する人体の胸部を撮影した画像データを除外画像データとして記憶するファイルのファイル名を除外画像情報として電子機器植え込み検出装置の除外画像データ記憶部に上記ＣＰＵにより記憶する処理と、
機器植え込み判定部によって、上記ライン映像がリード線の映像であることを判定した場合、上記除外画像データ記憶部に記憶された除外画像情報が示すファイルに記憶された除外画像データの補助具の映像と上記ライン映像とをパターンマッチングして、上記ライン映像が上記補助具の映像であるか否かを判定し、上記ライン映像が上記補助具の映像でないと判定した場合、胸部画像データが、胸部に電子機器が植え込まれていることを示している画像データであると判定する処理と
をコンピュータに実行させることを特徴とする請求項２３に記載のプログラム。
【発明の詳細な説明】
【技術分野】
【０００１】
この発明は、胸部を撮影した胸部画像データを入力して胸部画像データを解析して、胸部画像データが胸部への電子機器の植え込みがなされていることを示す画像であるか否かを判定する電子機器植え込み検出装置、プログラム、電子機器植え込み検出方法に関する。また、電子機器植え込み検出装置により胸部への電子機器の植え込みがなされていることを検出した場合に、電子機器の植え込みがなされていることを警告する警告システムに関する。
【背景技術】
【０００２】
従来の胸部への電子機器の植え込みがなされていることを検出する装置として、例えば、特開２００５−１７６９７３号公報に記載された放射線画像処理装置がある。この放射線画像処理装置は、胸部のＸ線撮影画像データを解析して金属、例えばペースメーカ本体があることを画像データが示しているか否かを検出する。ペースメーカ本体があることを画像データが示していることを検出した場合、無線送信手段の送信出力及び／又は送信レートを低く設定する。上記した画像の解析は、右肺領域の画像を解析する。これは、ペースメーカ本体が、一般に右鎖骨下数センチの場所に植え込まれていることが多いためである。
【先行技術文献】
【特許文献】
【０００３】
【特許文献１】特開２００５−１７６９７３号公報
【発明の概要】
【発明が解決しようとする課題】
【０００４】
上記した従来の技術は、右肺領域の画像を解析してペースメーカ本体があるか否かを検出している。ペースメーカ本体は一般に利き手の反対側の肺領域、例えば右利きの場合は左鎖骨下数センチの場所に植え込まれていることが多い。しかし、例えば、心臓の位置が体の右側にある心臓逆転症の人の場合や、鎖骨下静脈がつぶれている人の場合や、左利きの人の場合には、ペースメーカ本体は左肺領域に相当する位置に植え込まれているとは限らず、右肺領域に相当する位置に植え込まれていることがある。このように、右肺領域に相当する位置にペースメーカ本体が植え込まれている場合には、上記した従来技術により、ペースメーカ本体が植え込まれていることを画像データが示しているということを検出できる。しかし、右肺領域に相当する位置以外の他の体内の位置にペースメーカ本体が植え込まれている場合には、上記した従来技術により、ペースメーカ本体が植え込まれていることを画像データが示しているということを検出できない。このため、コンピュータ断層撮影（ＣＴ撮像）や核磁気共鳴画像（ＭＲ）の撮影（ＭＲ撮像）が行われて、ペースメーカが誤動作し、患者の心拍に重大な影響を与えるという問題があり、最悪の場合には死に至る場合も考えられる。
【０００５】
この発明は、上記した問題点を解決し、右肺領域に相当する位置、及び、右肺領域に相当する位置以外の他の体内の位置とのいずれかの位置に電子機器が植え込まれているか否かを検出して、電子機器が植え込まれていることを検出した場合に、連続Ｘ線撮影（透視撮影、血管造影撮影）やＣＴ撮像やＭＲ撮像を行う前に電子機器が植え込まれていることを検出したことを警告することを目的とする。なお、血管造影撮影とは、撮影の目的部位の血管に造影剤を注入しながら連続してＸ線撮影を行うことである。
【課題を解決するための手段】
【０００６】
この発明に係る胸部を撮像した胸部画像データを用いて、胸部への電子機器の植え込みを検出する電子機器植え込み検出装置は、
胸部を撮像した胸部画像データを入力する画像データ入力部と、
画像データ入力部が入力した胸部画像データを解析して、電子機器のリード線の配線が存在する配線領域を抽出する配線領域抽出部と、
配線領域抽出部が抽出した配線領域に、電子機器のリード線の配線によるライン映像があるか否かを検出するライン映像検出部と、
ライン映像検出部の検出結果に基づいて、胸部画像データが、胸部に電子機器が植え込まれていることを示している画像データであると判定する機器植え込み判定部と、
機器植え込み判定部により、胸部画像データが、胸部に電子機器が植え込まれていることを示している画像データであると判定された場合に、警告信号を出力する警告出力部とを備えたことを特徴とする。
【０００７】
また、この発明に係る電子機器植え込み検出装置は、配線領域抽出部は、画像データ入力部が入力した胸部画像データから、肺野領域を上記配線領域として撮像した画像データを抽出する肺野領域抽出部を備えたことを特徴とする。
【０００８】
また、この発明に係る電子機器植え込み検出装置は、配線領域抽出部は、画像データ入力部が入力した胸部画像データから、縦隔領域を上記配線領域として撮像した画像データを抽出する縦隔領域抽出部を備えたことを特徴とする。
【０００９】
また、この発明に係る電子機器植え込み検出装置は、配線領域抽出部は、画像データ入力部が入力した胸部画像データから、血管領域を上記配線領域として撮像した画像データを抽出する血管領域抽出部を備えたことを特徴とする。
【００１０】
また、この発明に係る電子機器植え込み検出装置は、配線領域抽出部は、画像データ入力部が入力した胸部画像データから、心臓領域を上記配線領域として撮像した画像データを抽出する心臓領域抽出部を備えたことを特徴とする。
【００１１】
また、この発明に係る電子機器植え込み検出装置は、配線領域抽出部は、画像データ入力部が入力した胸部画像データから、鎖骨下静脈領域を上記配線領域として撮像した画像データを抽出する鎖骨下静脈領域抽出部を備えたことを特徴とする。
【００１２】
また、この発明に係る電子機器植え込み検出装置は、配線領域抽出部は、画像データ入力部が入力した胸部画像データから、心臓の右心房と右心室との少なくとも何れかの房室領域を上記配線領域として撮像した房室画像データを抽出する房室領域抽出部を備え、
電子機器植え込み検出装置は、房室領域抽出部が抽出した房室画像データから、房室領域にライン映像の端部があるか否かを検出するライン端検出部を備えたことを特徴とする。
【００１３】
また、この発明に係る電子機器植え込み検出装置は、血管領域抽出部は、上記血管領域を撮像した画像データから、静脈領域を撮像した静脈画像データを抽出し、
ライン映像検出部は、静脈画像データから、静脈領域にライン映像があるか否かを検出することを特徴とする。
【００１４】
また、この発明に係る電子機器植え込み検出装置は、上記血管領域抽出部は、上記静脈領域を撮像した静脈画像データから、上大静脈領域を撮像した静脈画像データを抽出することを特徴とする。
【００１５】
また、この発明に係る電子機器植え込み検出装置は、記電子機器植え込み検出装置は、リード線を撮影したサンプル画像データを記憶装置に記憶し、
機器植え込み判定部は、サンプル画像データのリード線の映像とライン映像とをパターンマッチングして、ライン映像がリード線の映像であるかを判定することを特徴とする。
【００１６】
この発明に係る警告システムは、上記に記載の電子機器植え込み検出装置と、
電子機器植え込み検出装置の警告出力部から出力された警告信号を入力して、記憶装置に記憶するサーバ装置と、
サーバ装置から警告信号を入力して、警告情報を画面に出力する端末装置と
を備えたことを特徴とする。
【００１７】
この発明に係る警告システムは、上記に記載の電子機器植え込み検出装置と、
電子機器植え込み検出装置の警告出力部から出力された警告信号を入力して、記憶装置に記憶するサーバ装置と、
サーバ装置から警告信号を入力した場合、撮像動作を禁止する撮像装置と
を備えたことを特徴とする。
【００１８】
この発明に係る胸部を撮像した胸部画像データを用いて、胸部への電子機器の植え込みを検出する電子機器植え込み検出装置により実行するプログラムは、
画像データ入力部によって、胸部を撮像した胸部画像データを通信装置により入力する画像データ入力処理と、
配線領域抽出部によって、画像データ入力処理で入力した胸部画像データをセントラル・プロセッシング・ユニット（Ｃｅｎｔｒａｌ  Ｐｒｏｃｅｓｓｉｎｇ  Ｕｎｉｔ、以下「ＣＰＵ」と称する）により解析して、電子機器のリード線の配線が存在する配線領域を抽出する配線領域抽出処理と、
ライン映像検出部によって、配線領域抽出処理で抽出した配線領域に、電子機器のリード線の配線によるライン映像があるか否かを上記ＣＰＵにより検出するライン映像検出処理と、
機器植え込み判定部によって、ライン映像検出処理の検出結果に基づいて、胸部画像データが、胸部に電子機器が植え込まれていることを示している画像データであると上記ＣＰＵにより判定する機器植え込み判定処理と、
警告出力部によって、機器植え込み判定処理で、胸部画像データが、胸部に電子機器が植え込まれていることを示している画像データであると判定された場合に、警告信号を通信装置により出力する警告出力処理と
をコンピュータに実行させることを特徴とする。
【００１９】
また、この発明に係るプログラムは、肺野領域抽出部によって、上記胸部画像データから、肺野領域を上記配線領域として撮像した画像データを上記ＣＰＵにより抽出する肺野領域抽出処理をコンピュータに実行させることを特徴とする。
【００２０】
また、この発明に係るプログラムは、縦隔領域抽出部によって、上記胸部画像データから、縦隔領域を上記配線領域として撮像した画像データを上記ＣＰＵにより抽出する縦隔領域抽出処理をコンピュータに実行させることを特徴とする。
【００２１】
また、この発明に係るプログラムは、血管領域抽出部によって、上記胸部画像データから、血管領域を上記配線領域として撮像した画像データを上記ＣＰＵにより抽出する血管領域抽出処理をコンピュータに実行させることを特徴とする。
【００２２】
また、この発明に係るプログラムは、心臓領域抽出部によって、上記胸部画像データから、心臓領域を上記配線領域として撮像した画像データを上記ＣＰＵにより抽出する心臓領域抽出処理をコンピュータに実行させることを特徴とする。
【００２３】
また、この発明に係るプログラムは、配線領域抽出部によって、上記胸部画像データから、鎖骨下静脈領域を上記配線領域として撮像した画像データを抽出する鎖骨下静脈領域抽出処理をコンピュータに実行させることを特徴とする。
【００２４】
また、この発明に係るプログラムは、鎖骨下静脈領域抽出部によって、上記胸部画像データから、心臓の右心房と右心室との少なくとも何れかの房室領域を上記配線領域として撮像した房室画像データを上記ＣＰＵにより抽出する房室領域抽出処理と、
ライン端検出部によって、上記房室画像データから、房室領域にライン映像の端部があるか否かを検出するライン端検出処理と
をコンピュータに実行させることを特徴とする。
【００２５】
また、この発明に係るプログラムは、血管領域抽出部によって、上記血管領域を撮像した画像データから、静脈領域を撮像した静脈画像データを上記ＣＰＵにより抽出する処理と、
ライン映像検出部によって、上記静脈画像データから、静脈領域にライン映像があるか否かを検出する処理と
をコンピュータに実行させることを特徴とする。
【００２６】
また、この発明に係るプログラムは、血管領域抽出部によって、上記静脈領域を撮像した静脈画像データから、上大静脈領域を撮像した静脈画像データを抽出する処理をコンピュータに実行させることを特徴とする。
【００２７】
また、この発明に係るプログラムは、リード線を撮影したサンプル画像データを電子機器植え込み検出装置の記憶装置に上記ＣＰＵより記憶する処理と、
機器植え込み判定部によって、上記記憶装置に記憶されたサンプル画像データのリード線の映像とライン映像とをパターンマッチングして、ライン映像がリード線の映像であるかを判定する処理と
をコンピュータに実行させることを特徴とする。
【００２８】
また、この発明に係る胸部を撮像した胸部画像データを用いて、胸部への電子機器の植え込みを検出する電子機器植え込み検出装置の電子機器植え込み検出方法は、
画像データ入力部によって、胸部を撮像した胸部画像データを通信装置により入力する画像データ入力工程と、
配線領域抽出部によって、画像データ入力工程で入力した胸部画像データをセントラル・プロセッシング・ユニット（Ｃｅｎｔｒａｌ  Ｐｒｏｃｅｓｓｉｎｇ  Ｕｎｉｔ、以下「ＣＰＵ」と称する）により解析して、電子機器のリード線の配線が存在する配線領域を抽出する配線領域抽出工程と、
ライン映像検出部によって、配線領域抽出工程で抽出した配線領域に、電子機器のリード線の配線によるライン映像があるか否かを上記ＣＰＵにより検出するライン映像検出工程と、
機器植え込み判定部によって、ライン映像検出工程の検出結果に基づいて、胸部画像データが、胸部に電子機器が植え込まれていることを示している画像データであると上記ＣＰＵにより判定する機器植え込み判定工程と、
警告出力部によって、機器植え込み判定工程で、胸部画像データが、胸部に電子機器が植え込まれていることを示している画像データであると判定された場合に、警告信号を通信装置により出力する警告出力工程と
を備えることを特徴とする。
【発明の効果】
【００２９】
この発明の電子機器植え込み検出装置は、右肺領域に相当する位置だけでなく、右肺領域に相当する位置以外の他の体内の位置とのいずれかの位置に電子機器（例えばペースメーカやペースメーカにつながったリード線）が植え込まれているか否かを、胸部画像データに電子機器が植え込まれていることを示しているか否かによって検出して、胸部画像データが電子機器が植え込まれていることを示している場合に、例えば、ＣＴ撮像やＭＲ撮像を行う前に、胸部画像データが電子機器が植え込まれていることを示していることを警告する。例えば、心臓の位置が体の右側にある心臓逆転症の場合や、鎖骨下静脈がつぶれている場合や、左利きの場合等の理由により、右肺領域に相当する位置にペースメーカが植え込まれていない患者であっても、連続Ｘ線撮影（透視撮影、血管造影撮影）やＣＴ撮像やＭＲ撮像を行う前に、胸部画像データがペースメーカが植え込まれていることを示していることを警告できる。このため、警告を確認した撮影技師は、撮影の中止、或いは、ペースメーカが誤動作しないような撮影方法に切り替える対処が行える効果がある。また、患者を、ペースメーカの誤動作による生命の危険から回避できる効果がある。
【図面の簡単な説明】
【００３０】
【図１】実施の形態１の警告システムの構成図。
【図２】電子機器植え込み検出装置３０の機器構成を示す図。
【図３】電子機器植え込み検出装置３０のハードウェア構成図。
【図４】電子機器が体内に植え込まれた様子の一例を示す図。
【図５】（ａ）は、胸部Ｘ線写真を示す図であり、（ｂ）は、体の内部の部位がわかるように図５（ａ）の写真を簡単に表した図。
【図６】実施の形態１の電子機器植え込み検出装置３０の構成を示すブロック図。
【図７】実施の形態１の電子機器植え込み検出装置３０の動作の概要を示すフローチャート図。
【図８】実施の形態１の配線領域抽出部３２の動作を示すフローチャート図。
【図９】肺野領域と縦隔領域を説明する図。
【図１０】所定の配線領域を説明する図（肺野領域）。
【図１１】所定の配線領域を説明する図（縦隔領域）。
【図１２】所定の配線領域を説明する図（血管領域）。
【図１３】所定の配線領域を説明する図（鎖骨下静脈領域）。
【図１４】所定の配線領域を説明する図（心臓領域）。
【図１５】所定の配線領域を説明する図（房室領域）。
【図１６】分割パターン記憶部４０が記憶する分割パターン情報の一例を示す図。
【図１７】ラインパターン記憶部３９が記憶したラインパターン情報の一例を示す図。
【図１８】実施の形態１のライン映像検出部３３の動作を示すフローチャート図。
【図１９】実施の形態１の機器植え込み判定部３７の動作を示すフローチャート図。
【図２０】実施の形態１の機器植え込み判定部３７の動作を示すフローチャート図。
【図２１】サンプル画像データ記憶部３５が記憶するサンプル画像情報の一例を示す図。
【図２２】所定の配線領域を説明する図（上大静脈領域）。
【発明を実施するための形態】
【００３１】
実施の形態１．
この実施の形態では、患者の胸部へ電子機器（例えばペースメーカ）が植え込まれているか否かを検出する際に、電子機器のリード線（例えばペースメーカのリード線）の画像が胸部Ｘ線撮影画像データに示されているか否かを検出する電子機器植え込み検出装置の一例を説明する。なお、患者の一例として以下の説明では人を例にしているが、例えば、ハツカネズミのような小さな動物や、象のような大きな動物でもかまわない。すなわち、胸部をＸ線撮影できる生き物であればよい。
【００３２】
電子機器植え込み検出装置の一例の説明の前に、植え込み型のペースメーカについて説明する。
植え込み型ペースメーカとして、例えば、ＩＣ（Ｉｎｔｅｇｒａｔｅｄ  Ｃｉｒｃｕｉｔ）化した電子回路と小型大容量のリチウム電池とを生体との反応が低いチタンなどの金属容器に密封して胸壁皮下などに埋設するものがある。このような植え込み型ペースメーカ（以下、「植え込み型ペースメーカ」を「本体」と称する）には、リード線が接続される。リード線に一端は上記したように本体につながり、他の端部は電極につながる。電極は、患者の心臓（心筋、心房、心室）に接触（挿入）される。電極の種類には、リード線が１本のもの（単極）と、リード線が２本のもの（双極）とがある。
この実施の形態では、一例として１本のリード線を検出する電子機器植え込み検出装置を説明する。すなわち、２本のリード線が植え込まれている場合であっても、２本のうちいずれか１本のリード線を検出する電子機器植え込み検出装置を説明する。
【００３３】
図１は、この実施の形態の警告システムの構成図である。
図１において、警告システム１００は、患者（人）の胸部をＸ線撮影して胸部画像データ３０１を生成する単純写真撮影装置（ＣＲ）１０と、単純写真撮影装置（ＣＲ）１０から胸部画像データ３０１を入力して、胸部画像データを解析して電子機器（例えばペースメーカに接続されたリード線）が人の体内に植え込まれていることを示す画像データであるか否かを検出する電子機器植え込み検出装置３０と、電子機器植え込み検出装置３０から胸部画像データ３０１を入力して記憶（ファイリング）する画像ファイリングサーバ（ＰＡＣＳ）装置５０と、電子機器植え込み検出装置３０から人の体内に電子機器（例えばペースメーカに接続されたリード線）が植え込まれていることを示す画像データであることを検出した警告信号３０２を入力して、警告情報３０３と撮像禁止信号３０４とを生成するサーバ装置６０とを備える。また、警告システム１００は、サーバ装置６０に接続されて、サーバ装置６０が生成した警告情報３０３を表示装置に表示する端末装置７０を備える。また、警告システム１００は、サーバ装置６０に接続されて、患者を連続透視撮影および血管造影撮影（連続Ｘ線撮影）したりコンピュータ断層撮影（ＣＴ撮像）したり核磁気共鳴画像診断法（Ｍａｇｎｅｔｉｃ・Ｒｅｓｏｎａｎｃｅ・Ｉｍａｇｉｎｇ：ＭＲＩ）の核磁気共鳴画像（ＭＲ）を撮影（ＭＲ撮像）する撮像装置８０を備える。撮像装置８０は、サーバ装置６０が生成した撮影動作を禁止することを通知する撮像禁止信号３０４を入力した場合に、撮影動作を禁止する。
各装置の設置例として、端末装置７０は、例えば病院の放射線撮影受付室に設置されたコンピュータであり、撮像装置８０は、例えば病院の放射線撮影室に設置された連続Ｘ線撮影（透視撮影、血管造影撮影）を行う撮像機器やＣＴ撮像を行う撮像機器やＭＲ撮像を行う撮像機器である。また、サーバ装置６０は、例えば病院運営を管理するシステムに接続されたコンピュータであり、画像ファイリングサーバ装置５０は、例えば病院運営を管理するシステムに接続されたコンピュータである。また、単純写真撮影装置１０は、例えば放射線撮影室に設置されたＸ線写真を撮影する撮影機器である。
【００３４】
図２は、この実施の形態の電子機器植え込み検出装置３０の機器構成を示す図である。
図３は、電子機器植え込み検出装置３０のハードウェア構成図である。
なお、画像ファイリングサーバ装置５０、サーバ装置６０、端末装置７０は、図２、図３に示す構成と同じ構成であるものとする。
図２において、電子機器植え込み検出装置３０は、システムユニット９００、ＣＲＴ（Ｃａｔｈｏｄｅ  Ｒａｙ  Ｔｕｂｅ）やＬＣＤ（液晶）の表示画面を有する表示装置９０１、キーボード９０２（Ｋ／Ｂ）、マウス９０３、ＦＤＤ９０４（Ｆｌｅｘｉｂｌｅ  Ｄｉｓｋ  Ｄｒｉｖｅ）、コンパクトディスク装置９０５（ＣＤＤ）、プリンタ装置９０６、スキャナ装置９０７などのハードウェア資源を備え、これらはケーブルや信号線で接続されている。
システムユニット９００は、コンピュータであり、ファクシミリ機９３２、電話器９３１とケーブルで接続され、また、ローカルエリアネットワーク９４２（ＬＡＮ）、ゲートウェイ９４１を介してインターネット９４０に接続されている。
画像ファイリングサーバ装置５０、サーバ装置６０、端末装置７０はそれぞれ、ＬＡＮ９４２や、ゲートウェイ９４１や、インターネット９４０を介して電子機器植え込み検出装置３０と接続されている。
【００３５】
図３において、電子機器植え込み検出装置３０は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置ともいう）を備えている。ＣＰＵ９１１は、バス９１２を介してＲＯＭ９１３、ＲＡＭ９１４、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０と接続され、これらのハードウェアデバイスを制御する。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置あるいは記憶部の一例である。
通信ボード９１５、キーボード９０２、スキャナ装置９０７、ＦＤＤ９０４などは、入力部、入力装置の一例である。
また、通信ボード９１５、表示装置９０１、プリンタ装置９０６などは、出力部、出力装置の一例である。
【００３６】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不用となる。
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００３７】
上記プログラム群９２３には、電子機器植え込み検出装置３０の備える「〜部」として説明する動作を実行するプログラムが記憶されている。プログラムは、ＣＰＵ９１１により読み出され実行される。
ファイル群９２４には、以下に述べる実施の形態の説明において、「〜の判定結果」、「〜の計算結果」、「〜の処理結果」、「〜検出結果」として説明するデータや信号値や変数値やパラメータが、「〜ファイル」や「〜データベース」の各項目として記憶されている。
また、以下に述べる実施の形態の説明において説明するフローチャートの矢印の部分は主としてデータ（情報）や信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ  Ｖｅｒｓａｔｉｌｅ  Ｄｉｓｋ）等の記録媒体に記録される。また、データ（情報）や信号は、バス９１２や信号線やケーブルその他の伝送媒体によりオンライン伝送される。
【００３８】
また、以下に述べる実施の形態の説明において電子機器植え込み検出装置３０の備える「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、電子機器植え込み検出装置３０の備える「〜部」としてコンピュータを機能させるものである。あるいは、電子機器植え込み検出装置３０の備える「〜部」の手順をコンピュータに実行させるものである。
【００３９】
次に、患者の体内に植え込まれた電子機器の一例を説明する。
図４は、電子機器が体内に植え込まれた様子の一例を示す図である。
図４において、患者（人体２００）の体内には、ペースメーカの本体２０４と、一端が本体２０４に接続し、他端が心臓２０１に接触するリード線２０５とが植え込まれている。図４の例では、本体２０４は患者の右肺２０２の部分に植え込まれていることを示している。本体２０４から伸びたリード線２０５は、心臓２０１に達する。一般的に心臓２０１は、左肺２０３と右肺２０２との間から左肺２０３寄りにあるため、リード線２０５は、右肺２０２から左肺２０３の方向へ伸びるように植え込まれる。
【００４０】
実際の胸部Ｘ線写真を参照して、胸部Ｘ線写真に撮影された肺及び心臓周辺の部位を説明する。
図５（ａ）は、胸部Ｘ線写真を示す図であり、図５（ｂ）は、体の内部の部位がわかるように図５（ａ）の写真を簡単に表した図である。
図５（ａ）に示した胸部のＸ線写真には、図５（ｂ）に示す右肺２０２と、左肺２０３と、右房室２０１ｂと、左房室２０１ａと、右鎖骨２０６と、左鎖骨２０７とが表わされている。特に、右肺２０２及び左肺２０３は、肺野領域と呼ばれる。また、図５（ｂ）では符号を付していないが、右肺２０２と左肺２０３との間の、図５（ａ）の写真中央付近の縦に白い部分を縦隔領域と呼ぶ。縦隔領域は、このように左右の肺に囲まれた場所のことであり、心臓や気管や食道がある。その他に、大動脈や大静脈、神経、胸腺（きょうせん）がある。
電子機器植え込み検出装置３０は、図５（ａ）示したような胸部Ｘ線写真をデジタル画像データ化した画像データを単純写真撮影装置１０から入力して、画像データが電子機器が植え込まれていることを示しているかいないかを検出する。
次に、電子機器植え込み検出装置３０の構成について説明する。
【００４１】
図６は、この実施の形態の電子機器植え込み検出装置３０の構成を示すブロック図である。
図６において、電子機器植え込み検出装置３０は、画像データ入力部３１と、表示部４５と、入力部４４と、配線領域抽出部３２と、分割パターン記憶部４０と、本体領域抽出部４２と、ライン映像検出部３３と、本体検出部４３と、ラインパターン記憶部３９と、サンプル画像データ記憶部３５と、除外画像データ記憶部３６と、機器植え込み判定部３７と、警告出力部３８とを備える。
画像データ入力部３１は、単純写真撮影装置１０から例えば図５（ａ）に示したような胸部Ｘ線写真をデジタル画像データ化した画像データ３０１を入力する。このとき、画像データ３０１には、患者を識別する例えば患者ごとに採番されたカルテ番号等が付与されているものとする。電子機器植え込み検出装置３０と単純写真撮影装置１０とが、ＬＡＮ９４２、インターネット９４０、ゲートウェイ９４１を介して接続されている場合には、画像データ入力部３１は、単純写真撮影装置１０からＬＡＮ９４２、インターネット９４０、ゲートウェイ９４１を介して画像データ３０１を入力する。また、電子機器植え込み検出装置３０と単純写真撮影装置１０とが、ケーブル等により接続されている場合には、画像データ入力部３１は、単純写真撮影装置１０から通信ボード９１５を介して画像データ３０１を入力する。また、画像データ３０１が電子機器植え込み検出装置３０の磁気ディスク装置９２０のファイル群９２４、ＲＡＭ９１４やＦＤＤ９０４、ＣＤＤ９０５等の記憶装置や記憶媒体にあらかじめ記憶されている場合には、単純写真撮影装置１０から画像データを入力せずに、上記したような記憶装置や記憶媒体から画像データ３０１を入力する。
【００４２】
画像データ入力部３１は、入力した画像データ３０１を配線領域抽出部３２と、画像ファイリングサーバ装置５０とに出力する。電子機器植え込み検出装置３０と画像ファイリングサーバ装置５０とが、ＬＡＮ９４２、インターネット９４０、ゲートウェイ９４１を介して接続されている場合には、画像データ入力部３１は、画像ファイリングサーバ装置５０へＬＡＮ９４２、インターネット９４０、ゲートウェイ９４１を介して画像データ３０１を出力する。また、電子機器植え込み検出装置３０と画像ファイリングサーバ装置５０とが、ケーブル等により接続されている場合には、画像データ入力部３１は、画像ファイリングサーバ装置５０へ通信ボード９１５を介して画像データ３０１を出力する。
画像ファイリングサーバ装置５０は、入力した画像データ３０１を画像ファイリングサーバ装置５０の磁気ディスク装置９２０のファイル群９２４、ＲＡＭ９１４やＦＤＤ９０４、ＣＤＤ９０５に記憶する。このとき、画像データ３０１には、患者を識別する例えばカルテ番号等が付与されているので、カルテ番号に対応させて画像データ３０１を記憶して、管理する。
【００４３】
配線領域抽出部３２は、分割パターン記憶部４０が記憶する分割パターンを参照して、画像データ３０１の画像を複数の領域に分割して、分割した複数の領域から、画像データ３０１を、肺野領域抽出部３２１、縦隔領域抽出部３２２、血管領域抽出部３２３、鎖骨下静脈領域抽出部３２５、心臓領域抽出部３２６、房室領域抽出部３２７、上大静脈領域抽出部３２４により該当する所定の配線領域を抽出する。詳細な抽出動作については、後で説明する。
【００４４】
本体領域抽出部４２は、画像データ３０１からペースメーカ本体が植え込まれている領域を抽出する。本体領域抽出部４２は、従来の特開２００５−１７６９７３号公報に記載された放射線画像処理装置の動作と同じ動作により画像データ３０１からペースメーカ本体が植え込まれている領域を抽出する。すなわち、右肺領域を抽出する。
【００４５】
ライン映像検出部３３は、配線領域抽出部３２が抽出した配線領域内に植え込まれているリード線のライン映像を、ラインパターン記憶部３９が記憶したラインパターン情報を参照して検出して検出した結果を出力する。詳細な検出動作については、後で説明する。
【００４６】
ライン端検出部３４は、心臓領域抽出部３２６、或いは、房室領域抽出部３２７が抽出した配線領域にリード線の端部が有るか否かを、ラインパターン記憶部３９が記憶したラインパターン情報を参照して検出する。これは、電子機器が植え込まれていれば、心臓あるいは心筋等に電極が接触しているため、電極を接続するリード線の端部が心臓領域或いは心房領域にあると考えられるからである。
また、本体領域抽出部４２が抽出した右肺領域にリード線の端部が有るか否かを、ラインパターン記憶部３９が記憶したラインパターン情報を参照して検出する。これは、電子機器が植え込まれていれば、ペースメーカ本体にリード線が接続しているため、リード線の端部が右肺領域にあると考えられるからである。
詳細な検出動作については、後で説明する。
【００４７】
本体検出部４３は、右肺領域にペースメーカ本体が植え込まれているか否かを検出する。本体検出部４３は、従来の特開２００５−１７６９７３号公報に記載された放射線画像処理装置の動作と同じ動作により画像データ３０１からペースメーカ本体が右肺領域にあるか否かを検出する。本体領域抽出部４２と本体検出部４３とは、特開２００５−１７６９７３号公報に記載された放射線画像処理装置を構成するものである。
【００４８】
機器植え込み判定部３７は、ライン映像検出部３３が検出したライン映像を入力して、サンプル画像データ記憶部３５が記憶したリード線が体内に植え込まれている状態を示したサンプルの画像データと、ライン映像とを比較して、画像データ３０１が電子機器が植え込まれていることを示しているか否かを判定する。このとき、ライン端検出部３４、本体検出部４３による検出結果を参考にする。詳細な判定動作については、後で説明する。
【００４９】
警告出力部３８は、機器植え込み判定部３７により電子機器が植え込まれていることを画像データ３０１が示していることを判定された場合に、電子機器の植え込みを警告する警告信号３０２を生成してサーバ装置６０に出力する。詳細な動作については、後で説明する。
電子機器植え込み検出装置３０とサーバ装置６０とが、ＬＡＮ９４２、インターネット９４０、ゲートウェイ９４１を介して接続されている場合には、警告出力部３８はサーバ装置６０へＬＡＮ９４２、インターネット９４０、ゲートウェイ９４１を介して警告信号３０２を出力する。また、電子機器植え込み検出装置３０とサーバ装置６０とが、ケーブル等により接続されている場合には、警告出力部３８は、サーバ装置６０へ通信ボード９１５を介して警告信号３０２を出力する。
【００５０】
サーバ装置６０は、電子機器植え込み検出装置３０から警告信号３０２を入力した場合、警告情報３０３を生成して端末装置７０へ出力する。
さらに、サーバ装置６０は、電子機器植え込み検出装置３０から警告信号３０２を入力した場合、撮像禁止信号３０４を生成して撮像装置８０に出力する。
詳細な動作については、後で説明する。
【００５１】
次に、電子機器植え込み検出装置３０の動作手順を説明する。
図７は、電子機器植え込み検出装置３０の動作の概要を示すフローチャート図である。
Ｓ１０（画像データ入力工程，画像データ入力処理）
画像データ入力部３１は、単純写真撮影装置１０から患者の胸部をＸ線撮影した写真をデジタル画像データ化した画像データ３０１を、例えばＬＡＮ９４２、ゲートウェイ９４１、インターネット９４０、通信ボード９１５を介して入力する。或いは、画像データ３０１があらかじめ電子機器植え込み検出装置３０の記憶装置（例えばファイル群９２４、ＦＤＤ９０４等）に記憶されている場合には、記憶装置から入力する。
Ｓ１１（配線領域抽出工程，配線領域抽出処理）
配線領域抽出部３２により、画像データ３０１から配線領域を抽出する。
Ｓ１２（本体領域抽出工程，本体領域抽出処理）
Ｓ１１の処理と並行して、本体領域抽出部４２により画像データ３０１からペースメーカ本体が植え込まれていると予測される右肺領域を抽出する。
Ｓ１３（ファイリング工程，ファイリング処理）
Ｓ１１、Ｓ１２の処理と並行して、画像データ入力部３１により画像データ３０１を画像ファイリングサーバ装置５０へ、例えばＬＡＮ９４２、ゲートウェイ９４１、インターネット９４０、通信ボード９１５を介して出力する。
Ｓ１４（ライン映像検出工程，ライン映像検出処理）
ライン映像検出部３３により、Ｓ１１で抽出された配線領域の画像データにライン映像があるか否かを判定して、ライン映像がある場合、ライン映像を検出する。
Ｓ１５（機器植え込み判定工程，機器植え込み判定処理）
機器植え込み判定部３７は、Ｓ１４でライン映像が検出された場合（ＹＥＳ）、Ｓ１６へ進む。機器植え込み判定部３７は、Ｓ１４でライン映像が検出されない場合（ＮＯ）終了する。
Ｓ１６（機器植え込み判定部工程，機器植え込み判定処理）
機器植え込み判定部３７は、Ｓ１２で検出した右肺領域を示す情報と、Ｓ１４で検出したライン映像とを用いて、リード線が植え込まれていることを示す画像データであるか否かを判定する。
Ｓ１７（警告出力工程，警告出力処理）
警告出力部３８は、Ｓ１６でリード線が植え込まれていることを示す画像データであることを判定した場合（ＹＥＳ）、Ｓ１８へ進む。警告出力部３８は、Ｓ１６でリード線が植え込まれていることを示す画像データでないことを判定した場合（ＮＯ）終了する。
Ｓ１８（警告出力工程）
警告出力部３８は、リード線が植え込まれていることを示す画像データであることを示す警告信号３０２を生成して出力する。
このように、電子機器植え込み検出装置３０は、画像データから配線領域を抽出して、抽出した配線領域の画像データについてリード線のライン映像があることを示す画像データであるか否かを判定する。
【００５２】
Ｓ１１の配線領域抽出工程、及び、配線領域抽出処理について、詳細を説明する。
図８は、配線領域抽出部３２の動作を示すフローチャート図である。
図８において、肺野領域抽出部３２１による肺野領域抽出処理（Ｓ２１０）と、縦隔領域抽出部３２２による縦隔領域抽出処理（Ｓ２２０）と、血管領域抽出部３２３による血管領域抽出処理（Ｓ２３０）と、鎖骨下静脈領域抽出部３２５による鎖骨下静脈領域抽出処理（Ｓ２４０）と、心臓領域抽出部３２６による心臓領域抽出処理（Ｓ２５０）と、房室領域抽出部３２７による房室領域抽出処理（Ｓ２６０）との６つの処理を行う。
【００５３】
ここで、配線領域抽出部３２が抽出する各領域について説明する。はじめに、肺野領域と縦隔領域を説明する。
図９は、肺野領域と縦隔領域を説明する図である。図９に示した胸部の略図は、胸部をＸ線撮影した写真の略図であり、画像データ３０１を視覚的に簡単に示したものである。
図９において、右肺２０２と左肺２０３とを含む領域を肺野領域２１１とする。右鎖骨２０６と左鎖骨２０７とのあたりから右鎖骨２０６と左鎖骨２０７との間を通り、右肺２０２と左肺２０３との間を通る領域を縦隔領域２２１とする。図９に示した縦隔領域２２１と肺野領域２１１は、特開２００５−１７６９７３号公報に記載された放射線画像処理装置により検出する。
【００５４】
次に、画像データ３０１による胸部の映像を複数の領域に分割して、分割した複数の領域のうち所定の領域を肺野領域や縦隔領域や血管領域等の配線領域として抽出する例を説明する。
ここでは、一例として画像データ３０１による胸部の映像を、縦８個、横８個の合計６４個の領域に分割して所定の領域を検出する。また、分割した各領域は、（行番号、列番号）により表すものとする。
また、いずれの領域がどの配線領域に対応するかを分割パターン記憶部４０にあらかじめ記憶する。
図１０〜図１５は、所定の配線領域を説明する図である。
図１６は、分割パターン記憶部４０が記憶する分割パターン情報の一例を示す図である。
図１６では、縦８個、横８個の合計６４個の領域に分割することを指示する‘行数８’と‘列数８’とを分割パターン情報としてあらかじめ設定されている。
図１０は、配線領域の１つである肺野領域２１１を示す。肺野領域２１１は、（２，１）〜（７，８）の領域により構成する。分割パターン記憶部４０には、図１６のように肺野領域として（２，１）〜（７，８）の領域を示す‘行２〜７’と‘列１〜８’を分割パターン情報として設定する。
図１１は、配線領域の１つである縦隔領域２２１を示す。縦隔領域２２１は、（１〜８，４）と（１〜８，５）の領域により構成する。分割パターン記憶部４０には、図１６のように縦隔領域として（１〜８，４）と（１〜８，５）との領域を示す‘行１〜８’と‘列４〜５’を分割パターン情報として設定する。
図１２は、配線領域の１つである血管領域２３１を示す。血管領域２３１は、（３〜６，３）と（３〜６，４）の領域により構成する。分割パターン記憶部４０には、図１６のように血管領域として（３〜６，３）と（３〜６，４）との領域を示す‘行３〜６’と‘列３〜４’を分割パターン情報として設定する。
図１３は、配線領域の１つである鎖骨下静脈領域２４１を示す。鎖骨下静脈領域２４１は、（３〜４，２）と（３〜４，３）と（３〜４，４）と（３〜４，５）と（３〜４，６）と（３〜４，７）との領域により構成する。分割パターン記憶部４０には、図１６のように鎖骨下静脈領域として（３〜４，２）と（３〜４，３）と（３〜４，４）と（３〜４，５）と（３〜４，６）と（３〜４，７）との領域を示す‘行３〜４’と‘列２〜７’を分割パターン情報として設定する。
図１４は、配線領域の１つである心臓領域２５１を示す。心臓領域２５１は、（５〜６，４）と（５〜６，５）と（５〜６，６）と（５〜６，７）との領域により構成する。分割パターン記憶部４０には、図１６のように心臓領域として（５〜６，４）と（５〜６，５）と（５〜６，６）と（５〜６，７）との領域を示す‘行５〜６’と‘列４〜７’を分割パターン情報として設定する。
図１５は、配線領域の１つである房室領域２６１を示す。房室領域２６１は、（５〜６，４）と（５〜６，５）と（５〜６，６）と（５〜６，７）との領域により構成する。分割パターン記憶部４０には、図１６のように房室領域として（５〜６，４）と（５〜６，５）と（５〜６，６）と（５〜６，７）との領域を示す‘行５〜６’と‘列４〜７’を分割パターン情報として設定する。房室領域２６１は、心臓の右心房と右心室との少なくともいずれか一方を含む領域である。
分割パターン記憶部４０は、電子機器植え込み検出装置３０のファイル群９２４やＲＯＭ９１３やＲＡＭ９１４やＦＤＤ９０４やＣＤＤ９０５等の記憶装置に記憶する。分割パターン記憶部４０に記憶した分割パターン情報は、あらかじめ警告システム１００の利用者が、キーボード９０２、マウス９０３等の入力装置によって入力する情報である。図１０〜図１５に示した配線領域は、一例であって他の領域により構成してもかまわない。また、Ｘ線写真の映像を分割する数は、６４よりも大きくても小さくてもかまわない。領域および分割数は、警告システム１００の利用者が任意の値を設定できるものとする。
【００５５】
配線領域抽出部３２は、分割パターン記憶部４０が記憶した図１６に示した分割パターン情報を参照して、図８のＳ２１０〜Ｓ２６０の処理によって、配線領域を抽出する。例えば、肺野領域抽出部３２１は、分割パターン情報のうち肺野領域として設定された‘行２〜７’と‘列’１〜８‘との分割パターン情報を参照して、縦８個、横８個の６４個に分割した領域のうち（２，１）〜（７，８）の領域を肺野領域２１１として抽出する。同じように、縦隔領域抽出部３２２は、分割パターン情報のうち縦隔領域として設定された分割パターン情報を参照して、縦隔領域２２１を抽出し、血管領域抽出部３２３は、分割パターン情報のうち血管領域として設定された分割パターン情報を参照して、血管領域２３１を抽出し、鎖骨下静脈領域抽出部３２５は、分割パターン情報のうち鎖骨下静脈領域として設定された分割パターン情報を参照して、鎖骨下静脈領域２４１を抽出し、心臓領域抽出部３２６は、分割パターン情報のうち心臓領域として設定された分割パターン情報を参照して、心臓領域２５１を抽出し、房室領域抽出部３２７は、分割パターン情報のうち房室領域として設定された分割パターン情報を参照して、房室領域２６１を抽出する。
【００５６】
次に、図７のＳ１４のライン映像検出工程及びライン映像検出処理について説明する。ライン映像検出部３３は、ラインパターン記憶部３９が記憶したラインパターン情報を参照してライン映像を検出する。
図１７は、ラインパターン記憶部３９が記憶したラインパターン情報の一例を示す図である。
図１７において、ラインパターン情報は、各配線領域に対応して、リード線の長さと、リード線が植え込まれていない状態の配線領域を撮影したサンプル画像のファイル名とを有している。さらに、ラインパターン情報は、身長及び配線領域の種類に関係なく、リード線の太さを有する。
また、この例では、患者の身長によって体内に植え込まれるリード線の長さが異なることと、患者の身長によって肺、心臓、鎖骨等の大きさや位置が異なることとを考慮して、身長別にリード線の長さとサンプル画像とを設定した。
例えば、患者の身長が１２０ｃｍの場合であって、さらに、リード線のライン映像があるかないかを判定する配線領域が心臓領域を対象に検出する場合には、ライン映像検出部３３は、ラインパターン情報の各身長のうち１１１ｃｍ〜１４０ｃｍの心臓領域に設定されたリード線の長さ‘１２ｃｍ〜１３ｃｍ’とサンプル画像が格納されたファイル名‘ｓａｍｐｌｅＥ５’を取得する。
図１７に示したラインパターン情報は、電子機器植え込み検出装置３０のファイル群９２４やＲＯＭ９１３やＲＡＭ９１４やＦＤＤ９０４やＣＤＤ９０５等の記憶装置に記憶する。ラインパターン記憶部３９に記憶したラインパターン情報は、あらかじめ警告システム１００の利用者が、キーボード９０２、マウス９０３等の入力装置によって入力する情報である。また、ラインパターンのサンプル画像を記憶したファイルは、所定のファイル名で、電子機器植え込み検出装置３０のファイル群９２４やＲＯＭ９１３やＲＡＭ９１４やＦＤＤ９０４やＣＤＤ９０５等の記憶装置に記憶する。図１７の例では、利用者は、ラインパターンのサンプル画像を記憶したファイル名を、ラインパターン情報のサンプル画像を示す項目に設定している。
図１７に示したラインパターン情報は、一例であって、例えば身長の値は他の値でもかまわない。また、身長に関係なく各配線領域のリード線の長さとサンプル画像を設定してもよい。また、リード線の長さは他の値であってもかまわない。身長ごとに設定することと、リード線の長さの値と、ファイル名とは、警告システム１００の利用者が任意の値を設定できるものとする。
【００５７】
図１８は、図７のＳ１４のライン映像検出部３３の動作を示すフローチャート図である。
配線領域抽出部３２は、肺野領域２１１、縦隔領域２２１、血管領域２３１等の６種類の配線領域を抽出すると説明した。このため、ライン映像検出部３３は、図１８に示したＳ３１０からＳ３１８の処理を６種類の配線領域それぞれについて実行する。また、ライン映像を検出した結果は配線領域の種類ごとに必要になるため、ライン映像あり・なしを示すフラグを配線領域の種類の数に対応してここでは６個のフラグを用意する。フラグの値は、ライン映像検出部３３が設定する。フラグは電子機器植え込み検出装置３０の備えるメモリに記憶する。
図１８において、Ｓ３１０では、ラインパターン記憶部３９より配線領域の種類と患者の身長とに該当するラインパターン情報（リード線の長さとサンプル画像のファイル名）を取得する。なお、患者の身長は、画像データ３０１を入力した際に入力部４４により放射線技師や看護士に入力させる。或いは、画像データ３０１に付与されているカルテ番号を用いて、サーバ装置６０や端末装置７０により記憶・管理されているカルテ情報記憶部に記憶されているカルテ情報から患者の身長を示す情報を取得してもかまわない。
例えば、患者の身長が１７０ｃｍの場合であって、さらに、リード線のライン映像があるかないかを判定する配線領域が肺野領域を対象に検出する場合には、ライン映像検出部３３は、身長が１６０ｃｍより大きいラインパターン情報であって肺野領域に設定されたリード線の長さ‘１５ｃｍ以上’とサンプル画像が格納されたファイル名‘ｓａｍｐｌｅＡ７’を取得する。
次に、Ｓ３１１において、ライン映像検出部３３は、取得したファイル名で記憶されているサンプル画像を取得する。例えば、ファイル名‘ｓａｍｐｌｅＡ７’として記憶されている画像データを記憶装置から取り出す。
次に、Ｓ３１２において、ライン映像検出部３３は、サンプル画像の画像データと、画像データ３０１から抽出した配線領域に対応する画像データとを比較する。例えば、ファイル名‘ｓａｍｐｌｅＡ７’として記憶されているサンプル画像の画像データと画像データ３０１から抽出した肺野領域２１１に対応する画像データと比較する。サンプル画像の画像データと、画像データ３０１から抽出した配線領域に対応する画像データとは、ともにデジタル画像データとし、２つのデジタル画像データをパターンマッチングして比較する。パターンマッチングとは、例えば、入力画像（画像データ３０１から抽出した肺野領域２１１に対応する画像データ）の中にあらかじめ用意した標準パターン（サンプル画像の画像データ）と同じ画像データがあるか、あるいは近いものがあるかを検出して、同じもの及び近いものを除いて差異を検出することと、入力画像（画像データ３０１から抽出した肺野領域２１１に対応する画像データ）に標準パターン（サンプル画像の画像データ）を重ねながら移動して、２つの画像データレベル対応の相関を調べることとのいずれかの動作を指すものとする。
Ｓ３１２によりパターンマッチングした結果、ライン映像検出部３３は、２つの画像データに差異があれば（ＹＥＳ）Ｓ３１４へ進み、差異がなければ（ＮＯ）Ｓ３１８で配線領域の種類別のフラグにＯＦＦを設定する。差異がないということは、配線領域の画像データがリード線が植え込まれていない状態のサンプルの画像データに近いことを示している。すなわち、この配線領域にはリード線が植え込まれていないことを示している。逆に、差異があるということは、配線領域の画像データがリード線が植え込まれていない状態のサンプルの画像データと似ていないことを示している。すなわち、この配線領域にはリード線が植え込まれていることを示している。
ここでは、例えば配線領域の１つである肺野領域についてライン映像の有無を検出しているため、ライン映像検出部３３は、肺野領域用のフラグに設定する。
Ｓ３１４において、Ｓ３１２で比較した２つの画像データの差異ある場合、すなわち、リード線が配線領域に植え込まれている可能性がある場合、ライン映像検出部３３は、２つの画像データをパターンマッチングして得られる画像データの差異からリード線のライン映像の長さと太さを取得する。画像が粗く太さを取得できない場合には、長さだけでもいい。
次に、Ｓ３１５において、ライン映像検出部３３は、Ｓ３１４で取得した長さとＳ３１０でラインパターン記憶部３９から取得したラインパターン情報の長さとを比較する。例えば、上記したＳ３１０の説明では、取得したラインパターン情報の長さは‘１５ｃｍ以上’であった。このため、Ｓ３１４で取得した長さが１５ｃｍ以上であれば一致することになる。一致する（ＹＥＳ）場合は、ライン映像検出部３３は、Ｓ３１６へ進む。一致しない（ＮＯ）場合は、ライン映像検出部３３は、Ｓ３１８でフラグにＯＦＦを設定する。ここでは、例えば配線領域の１つである肺野領域についてライン映像の有無を検出しているため、ライン映像検出部３３は、肺野領域用のフラグにＯＦＦを設定する。
次に、Ｓ３１６において、ライン映像検出部３３は、Ｓ３１４で太さを取得できた場合に、あらかじめ設定されてラインパターン記憶部に記憶したリード線の太さと取得した太さとを比較する。Ｓ３１４で太さが取得できなかった場合はＳ３１６の処理をスキップして、Ｓ３１７へ進む。太さが一致する（ＹＥＳ）場合は、ライン映像検出部３３は、Ｓ３１７へ進み、フラグにＯＮを設定する。一致しない（ＮＯ）場合は、ライン映像検出部３３は、Ｓ３１８でフラグにＯＦＦを設定する。ここでは、例えば配線領域の１つである肺野領域についてライン映像の有無を検出しているため、ライン映像検出部３３は、肺野領域用のフラグに設定する。
ライン映像検出部３３は、上記したＳ３１０〜Ｓ３１８の処理を配線領域抽出部３２が抽出した６つの配線領域それぞれについて実行する。
これらの処理をライン映像検出部３３が行うことによって、６つの配線領域それぞれに対応して用意したフラグに、ライン映像が検出できたか否かのいずれかを示す値（ＯＮ，ＯＦＦ）が設定される。
【００５８】
次に、図７のＳ１６の機器植え込み判定工程及び機器植え込み判定処理について図１９のフローチャートに従い説明する。
図１９は、機器植え込み判定部３７の動作を示すフローチャートである。
図１９では、ライン端検出部３４によるリード線のライン端の検出処理と、本体検出部４３によるペースメーカ本体の検出処理との検出結果と、ライン映像検出部３３によるライン映像の検出結果とに基づいて、機器植え込み判定部３７が、患者の胸部に電子機器が植え込まれていることを画像データ３０１が示しているか否かを判定する。機器植え込み判定部３７は、サンプル画像データ記憶部３５が記憶するサンプル画像情報と、除外画像データ記憶部３６が記憶する除外画像データとを参照して、患者の胸部に電子機器が植え込まれている画像データであることを示しているか否かを判定する。
【００５９】
はじめに、Ｓ４１０において、機器植え込み判定部３７は、本体検出部４３によりペースメーカ本体が検出されたか否かを判断する。なお、本体検出部４３によるペースメーカ本体の検出動作は、従来の特開２００５−１７６９７３号公報に記載された放射線画像処理装置によって行う。すなわち、本体検出部４３によるペースメーカ本体が検出された場合には、本体は肺野領域にある。このため、本体につながれたリード線は、肺野領域２１１に存在することが考えられ、Ｓ４１１では、肺野領域２１１の画像データについて、本体にリード線がつながっていることを示している画像データであるか否かを判定する。機器植え込み判定部３７は、本体検出部４３により本体が検出できなかった場合は、図２０へ進む。
Ｓ４１１では、ライン端検出部３４は、図１８のＳ３１０でライン映像検出部３３が入力した身長を用いてラインパターン記憶部３９が記憶する肺野領域のラインパターン情報を取得する。例えば、上記したように身長が１７０ｃｍであった場合、取得する肺野領域のラインパターン情報は、リード線の長さが１５ｃｍ以上で、サンプル画像のファイル名が‘ｓａｍｐｌｅＡ７’である。ライン端検出部３４は、画像データ３０１から抽出した肺野領域２１１の画像データと、ラインパターン記憶部３９から取得したサンプル画像ファイルに記憶されたサンプル画像データとをパターンマッチングして、２つの画像データの差異画像データを取得する。パターンマッチングは、上記した図１８のＳ３１２で説明したものと同様である。ライン端検出部３４は、取得した差異画像データに白っぽい円形状の本体の影と、その円形状の影にリード線を表す細長いひも状の白っぽい影とがあることを示す画像データであることを検出できた場合、本体にライン端がつながっているものと判定する。差異画像データから検出した、白っぽい本体の影と細長いひも状の白っぽい影について、２値化処理をしてから、リード線を表す細長いひも状線領域の連結処理を行う。この２値画像に対して島領域を検出して、ペースメーカ本体とライン端に対応する部分がつながって一つの島になっていることが検出できれば、本体にライン端がつながっているものと判定できる。
ライン端検出部３４は、Ｓ４１２で本体にリード線を示すライン端がつながっていることを判定できた（ＹＥＳ）場合に、Ｓ４１３へ進み、Ｓ４１２で本体にリード線がつながっていないことを判定できた（ＮＯ）場合に、図２０へ進む。
【００６０】
Ｓ４１３では、ライン端検出部３４は、図１８のＳ３１０でライン映像検出部３３が入力した身長を用いてラインパターン記憶部３９が記憶する房室領域のラインパターン情報を取得する。例えば、上記したように身長が１７０ｃｍであった場合、取得する房室領域のラインパターン情報は、リード線の長さが６ｃｍ以上で、サンプル画像のファイル名が‘ｓａｍｐｌｅＦ７’である。ライン端検出部３４は、画像データ３０１から抽出した房室領域２６１の画像データと、ラインパターン記憶部３９から取得したサンプル画像ファイルに記憶されたサンプル画像データとをパターンマッチングして、２つの画像データの差異画像データを取得する。パターンマッチングは、上記した図１８のＳ３１２で説明したものと同様である。ライン端検出部３４は、取得した差異画像データにリード線を表す細長いひも状の白っぽい影があることを示す画像データであることを検出できた場合、心臓にライン端がつがっているものと判定する。差異画像データから検出した、細長いひも状の白っぽい影について、２値化処理をしてから、リード線を表す細長いひも状線領域の連結処理を行う。この２値画像に対して島領域を検出して、房室領域内にかかっていることが判定できれば、心臓にライン端がつながっているものと判定する。線状の領域を判定するのには、例えばハフ変換とかエッジ検出処理とかの画像フィルター処理を適用すると良い。
Ｓ４１１とＳ４１３は、本体検出部４３が本体を検出した場合にだけ実行する処理である。本体が検出されたということは、リード線の一方の端部は本体につながり、他方の端部は心臓（あるいは、心筋、房室等の心臓を構成する部位）につながって（接触して）いることを画像データ３０１が示していると考えられるためである。
【００６１】
Ｓ４１４において、Ｓ４１３でライン端が検出できた（ＹＥＳ）場合はＳ４１５へ進み、Ｓ４１３でライン端が検出できなかった（ＮＯ）場合は図２０へ進む。
Ｓ４１５において、機器植え込み判定部３７は、サンプル画像データ記憶部３５からサンプル画像データを取得する。サンプル画像データ記憶部３５が記憶するサンプル画像データは、各配線領域に実際に植え込まれたリード線、あるいは、本体、あるいは、本体とリード線とをＸ線で撮影した画像データを指す。或いは、人体模型の胸部の各配線領域にリード線、あるいは、本体、あるいは、本体とリード線とを植え込み、植え込んだ状態をＸ線で撮影した画像データをサンプル画像データとしてもよい。或いは、実際の各配線領域をＸ線で撮影した画像データに対してリード線、あるいは、本体、あるいは、本体とリード線とが植え込まれているように加工して、加工した画像をサンプル画像データとしてもよい。
図２１は、サンプル画像データ記憶部３５が記憶するサンプル画像情報の一例を示す図である。図２１の例では、各配線領域に対応して、リード線、あるいは、本体、あるいは、本体とリード線とを植え込まれた患者の胸部をＸ線で撮影した画像データのファイル名をサンプル画像情報として記憶している。ここでは、本体が右の肺野領域に植え込まれているものとして、肺野領域を右肺野領域と左肺野領域とに区別している。右肺野領域に対応するサンプル画像データを記憶した‘ラインサンプルＦ１’のファイルには、本体とリード線が植え込まれている状態の画像データが記憶されている。
図２１に示したサンプル画像情報は、電子機器植え込み検出装置３０のファイル群９２４やＲＯＭ９１３やＲＡＭ９１４やＦＤＤ９０４やＣＤＤ９０５等の記憶装置に記憶する。サンプル画像データ記憶部３５に記憶したサンプル画像情報は、あらかじめ警告システム１００の利用者が、キーボード９０２、マウス９０３等の入力装置によって入力する情報である。また、サンプル画像データを記憶したファイルは、所定のファイル名で、電子機器植え込み検出装置３０のファイル群９２４やＲＯＭ９１３やＲＡＭ９１４やＦＤＤ９０４やＣＤＤ９０５等の記憶装置に記憶する。図２１の例では、利用者は、サンプル画像データを記憶したファイル名を、サンプル画像情報のファイル名に設定している。また、図２１の例では、配線領域別のサンプル画像データのファイル名は１つであるが、配線領域別の身長別のサンプル画像データを用意して、１つの配線領域に対応させて複数のサンプル画像データのファイル名を設定してもかまわない。この場合は、複数のサンプル画像データのファイル名を配線領域別の身長別に設定する。
【００６２】
図１９のＳ４１５の説明に戻る。機器植え込み判定部３７は、サンプル画像データ記憶部３５から右肺野領域のサンプル画像データを記憶したファイルのファイル名を取得する。機器植え込み判定部３７は、ファイル名を用いて右肺野領域のサンプル画像データを読み出して、配線領域抽出部３２が抽出した肺野領域の画像データとサンプル画像データとをパターンマッチングする。このパターンマッチングは、図１８のＳ３１２と同様のパターンマッチング処理である。ここでは、Ｓ４１０の処理で本体が右肺野領域に植え込まれていることが確認されているため、パターンマッチング処理では、本体と本体につながれたリード線の画像データと、サンプル画像データの本体及び本体につながれたリード線の画像データとをパターンマッチング処理により比較する。配線領域抽出部３２が抽出した肺野領域は、右肺野領域と左肺野領域とを含んでいる。このため、機器植え込み判定部３７は、右肺野領域に該当する部分を抽出する処理を、パターンマッチングの処理を行う前に実行する。右肺野領域の抽出処理は、例えば、分割パターン記憶部４０に右肺野領域として‘行（２〜７）列（１〜４）’という分割パターン情報を記憶しておき、分割パターン記憶部４０に右肺野領域として設定された分割パターン情報を参照して、画像データ３０１から右肺野領域に対応する領域を抽出する。
【００６３】
Ｓ４１５のパターンマッチングの結果、マッチしている（Ｓ４１６，ＹＥＳ）場合、機器植え込み判定部３７は、Ｓ４１７へ進み、マッチしていない（Ｓ４１６，ＮＯ）場合、機器植え込み判定部３７は、患者の胸部に電子機器が植え込まれていないことを画像データが示しているという判定結果を出力して（Ｓ４２０）、処理を終了する。
【００６４】
Ｓ４１７では、機器植え込み判定部３７は、除外画像データ記憶部３６が記憶する除外画像情報を取得する。除外画像データ記憶部３６は、図２１に示したサンプル画像データ記憶部と同様に除外画像データを記憶したファイルのファイル名を除外画像情報として記憶する。また、除外画像データは配線領域の種類ごとにあり、配線領域の種類ごとに除外画像データを記憶したファイルのファイル名を記憶する。除外画像データは、所定の配線領域の画像データが電子機器が植え込まれていることを示す画像データであるか否かを判定する際に、植え込まれていることを示している画像データであるとの判定結果を再度検証するためのものである。例えば、Ｓ４１５でパターンマッチングを行った結果、サンプル画像データと右肺野領域の画像データとが一致すれば、電子機器が右肺野領域に植え込まれていることを示す画像データであることを判定する。しかし、ペースメーカ本体及びリード線とは別の機器、例えば、患者が胸部の骨を（この場合は右肺の部分の骨や、右の鎖骨の近傍）骨折をしたために骨折した骨を接合したり補強したりする補強具が植え込まれている場合が考えられる。このような場合、画像データ３０１の右肺野領域の画像データには補強具が示されていることがあり、機器植え込み判定部３７は、この補強具を本体やリード線と誤ってパターンマッチングしてしまうと、一致するとの誤った判定を行ってしまう。このような場合を排除するため、あらかじめペースメーカ本体及びリード線以外のものであって胸部に植え込まれる可能性のあるものを撮影した画像データを除外画像データとして除外画像データ記憶部３６に設定しておく。除外画像データを記憶したファイルは、各配線領域に対応して、本体及びリード線以外の例えば補助具を植え込まれた患者の胸部をＸ線で撮影した画像データを記憶している。
除外画像データを記憶したファイルは、電子機器植え込み検出装置３０のファイル群９２４やＲＯＭ９１３やＲＡＭ９１４やＦＤＤ９０４やＣＤＤ９０５等の記憶装置に記憶する。除外画像データ記憶部３６に記憶した除外画像情報は、あらかじめ警告システム１００の利用者が、キーボード９０２、マウス９０３等の入力装置によって入力する情報である。また、除外画像データを記憶したファイルは、所定のファイル名で、電子機器植え込み検出装置３０のファイル群９２４やＲＯＭ９１３やＲＡＭ９１４やＦＤＤ９０４やＣＤＤ９０５等の記憶装置に記憶する。利用者は、除外画像データを記憶したファイル名を、除外画像情報のファイル名に設定する。
【００６５】
Ｓ４１７で、機器植え込み判定部３７は、除外画像データ記憶部３６が記憶する除外画像情報（除外画像データを記憶したファイルのファイル名）を取得して、取得したファイル名で記憶された除外画像データと右肺野領域の画像データとをパターンマッチング処理する。このパターンマッチングは、図１８のＳ３１２と同様のパターンマッチング処理である。ここでは、Ｓ４１０の処理で本体が右肺野領域に植え込まれていることが確認されているため、パターンマッチング処理では、本体と本体につながれたリード線の画像データと、除外画像データの例えば補助具が撮影された画像データとを比較する。配線領域抽出部３２が抽出した肺野領域は、右肺野領域と左肺野領域とを含んでいる。このため、機器植え込み判定部３７は、右肺野領域に該当する部分を抽出する処理を、パターンマッチングの処理を行う前に実行する。右肺野領域の抽出処理は、例えば、分割パターン記憶部４０に右肺野領域として‘行（２〜７）列（１〜４）’という分割パターン情報を記憶しておき、分割パターン記憶部４０に右肺野領域として設定された分割パターン情報を参照して、画像データ３０１から右肺野領域に対応する領域を抽出する。配線領域の種類によっては除外画像データがない場合がある。この場合には、Ｓ４１７、Ｓ４１８をスキップして、Ｓ４１９を実行する。
【００６６】
Ｓ４１７のパターンマッチングの結果、マッチしている（Ｓ４１８，ＹＥＳ）場合、機器植え込み判定部３７は、患者の胸部に電子機器が植え込まれていないことを画像データが示しているという判定結果を出力して（Ｓ４２０）、処理を終了する。マッチしていない（Ｓ４１８，ＮＯ）場合、機器植え込み判定部３７は、患者の胸部に電子機器が植え込まれていることを画像データが示しているという判定結果を出力して（Ｓ４１９）、処理を終了する。
【００６７】
機器植え込み判定部３７は、図１９のＳ４１０，Ｓ４１２，Ｓ４１４の処理でＮＯであった場合、すなわち、肺野領域に本体が検出されなかった場合、肺野領域以外の配線領域について電子機器の植え込みがなされていることを示す画像データであるか否かを判定する。
図１８のライン映像検出部３３による処理では、ライン映像が検出できた配線領域に対応するフラグをＯＮに設定した。このため、機器植え込み判定部３７は、ライン映像が検出できた配線領域について、すなわち、フラグがＯＮに設定されている配線領域について電子機器の植え込みがなされているか判定する。
図２０のＳ４２１では、配線領域の種類別のフラグがＯＮである場合に、フラグがＯＮである配線領域に対応するサンプル画像データを記憶したファイルのファイル名をサンプル画像データ記憶部３５から取得する。そして、取得したファイル名のファイルからサンプル画像データを取り出し、サンプル画像データとフラグがＯＮである配線領域の画像データ（例えば縦隔領域の画像データ）とをパターンマッチング処理する。このパターンマッチング処理は、図１９のＳ４１５と同様の処理である。
Ｓ４２１のパターンマッチングの結果、マッチしている（Ｓ４２２，ＹＥＳ）場合、機器植え込み判定部３７は、Ｓ４２３へ進み、マッチしていない（Ｓ４２２，ＮＯ）場合、機器植え込み判定部３７は、患者の胸部に電子機器が植え込まれていないことを画像データ３０１が示しているという判定結果を出力する（Ｓ４２６）。ライン映像が検出できた配線領域に対応するフラグがＯＮであるフラグが他にある（Ｓ４２７，ＹＥＳ）場合は、Ｓ４２１から処理を繰り返し、他に無ければ（Ｓ４２７，ＮＯ）処理を終了する。
【００６８】
Ｓ４２３では、機器植え込み判定部３７は、フラグがＯＮである配線領域に対応する除外画像データを記憶したファイルのファイル名を除外画像データ記憶部３６から取得する。そして、機器植え込み判定部３７は、取得したファイル名のファイルから除外画像データを取り出し、除外画像データとフラグがＯＮである配線領域の画像データ（例えば縦隔領域の画像データ）とをパターンマッチング処理する。このパターンマッチング処理は、図１９のＳ４１７と同様の処理である。配線領域の種類によっては除外画像データがない場合がある。この場合には、Ｓ４２３、Ｓ４２４をスキップして、Ｓ４２５を実行する。
Ｓ４２３のパターンマッチングの結果、マッチしていない（Ｓ４２４，ＮＯ）場合、機器植え込み判定部３７は、患者の胸部に電子機器が植え込まれていることを示している画像データ３０１であるという判定結果を出力して（Ｓ４２５）、処理を終了する。マッチしている（Ｓ４２４，ＹＥＳ）場合、機器植え込み判定部３７は、患者の胸部に電子機器が植え込まれていないということを画像データ３０１が示しているという判定結果を出力して（Ｓ４２６）、ライン映像が検出できた配線領域に対応するフラグがＯＮであるフラグが他にある（Ｓ４２７，ＹＥＳ）場合は、Ｓ４２１から処理を繰り返し、他に無ければ（Ｓ４２７，ＮＯ）処理を終了する。
【００６９】
機器植え込み判定部３７が出力した判定結果は警告出力部３８により入力される。図７のＳ１７に示したように、警告出力部３８は、機器植え込み判定部３７が出力した判定結果が患者の胸部に電子機器が植え込まれているという判定結果である場合（Ｓ１７，ＹＥＳ）、患者の胸部に電子機器が植え込まれているということを示す画像データであることを警告する警告信号３０２を生成して、サーバ装置６０に出力する。サーバ装置６０は、警告信号３０２を入力すると、撮像装置８０による撮像を禁止させる撮像禁止信号３０４を生成して、撮像装置８０に出力する。撮像装置８０は、撮像禁止信号３０４を入力すると、ただちに患者を撮像することを停止する。このとき、撮像装置８０は、撮像禁止信号３０４を入力したことを放射線技師や看護士に通知するため、ブザー音を発生したり、警告ランプを点灯させてもよい。
また、サーバ装置６０は、警告信号３０２を入力すると、患者の胸部に電子機器が植え込まれていることを示している画像データ３０１であるということを警告する警告情報３０３を生成して、端末装置７０に出力する。端末装置７０は、警告情報３０３を入力すると、端末装置７０の表示装置に警告情報を表示する。このとき、端末装置７０は、警告情報３０３を入力したことを放射線技師や看護士に通知するため、ブザー音を発生したり、警告ランプを点灯させてもよい。また、警告情報３０３が目立つように文字の色をつけたり、文字のフォントを大きくしたり、文字を点滅させたり等の編集を警告情報３０３に対して行ってもよい。
【００７０】
また、警告信号３０２を画像ファイリングサーバ装置５０に出力してもかまわない。画像ファイリングサーバ装置５０は、警告信号３０２を受信した場合、先に入力した画像データ３０１に対して、その画像データ３０１が患者の胸部に電子機器が植え込まれていることを示す画像データであることが判定されたという情報を記憶する。この場合、警告出力部３８は、患者を特定するための患者のカルテ番号を警告信号３０２とともに画像ファイリングサーバ装置５０に出力する。
【００７１】
この実施の形態で一例を説明した電子機器植え込み検出装置は、上記したように胸部のＸ線画像データを複数の領域に分割して、分割した複数の領域より例えば肺野領域、縦隔領域、血管領域等の複数種類の配線領域を求め、複数種類の配線領域についてそれぞれ電子機器のリード線が植え込まれているか否かを配線領域の画像データが示しているか否かを判定して、判定結果を出力する。連続Ｘ線撮影（透視撮影、血管造影撮影）、ＣＴ撮像あるいはＭＲ撮像する前に、撮像対象の患者の胸部Ｘ線画像データを電子機器植え込み検出装置に入力することにより、患者の胸部に電子機器を植え込まれていることを示している画像データである否かが電子機器植え込み検出装置により自動で判定され、判定結果が出力される。放射線技師や看護士が電子機器植え込み検出装置から出力された判定結果を確認することによって、胸部に電子機器を植え込まれた患者を誤って連続Ｘ線撮影、ＣＴ撮像あるいはＭＲ撮像することを防ぐことができ、医療ミスの発生を防止できる効果がある。
また、胸部に電子機器を植え込まれた患者は、誤って連続Ｘ線撮影、ＣＴ撮像あるいはＭＲ撮像されることがないので、生命の危機に陥ることを防止できる効果がある。
また、例えば肺野領域や縦隔領域、血管領域、鎖骨下静脈領域、房室領域等の複数種類の配線領域それぞれの画像データについて、電子機器のリード線が植え込まれていることを示す画像データであるか否かを判定するので、右の肺野領域以外の領域に電子機器が埋め込まれている場合でも、電子機器が植え込まれている画像データであるか否かを判定できる。電子機器の一例であるペースメーカは、本体が右肺野領域に植え込まれている場合には、従来技術で説明した特開２００５−１７６９７３号公報に記載された発明により電子機器が植え込まれている画像データであるか否かを検出できる。しかし、この実施の形態による電子機器植え込み検出装置は、心臓の位置が逆転しているため、左の肺野領域に本体が植え込まれたり、腹部にペースメーカが植え込まれたり等の理由により本体が右肺野領域以外の領域に植え込まれている場合であっても、電子機器のリード線が植え込まれている画像データであるか否かを判定できるので、より確実に患者を生命の危機から守ることができる。
また、サーバ装置は、電子機器植え込み検出装置による判定結果に基づいて撮像装置を自動制御する。このため、放射線技師や看護師が手動で撮像装置を制御することなく、電子機器が植え込まれたことが判定された画像データの患者に対して撮像を行わないように禁止できるので、放射線技師や看護師による医療ミスを防止でき、より確実に患者を生命の危機から守ることができる。
【００７２】
実施の形態２．
この実施の形態では、実施の形態１の血管領域を静脈領域として抽出し、静脈領域からさらに上大静脈領域を抽出して、上大静脈領域の画像データについてリード線のライン映像がある画像データであるか否かを検出する電子機器植え込み検出装置の一例を説明する。なお、電子機器植え込み検出装置３０の構成は図６と同様とする。
【００７３】
以下では、実施の形態１で説明した電子機器植え込み検出装置に対して変更する動作について説明する。
図２２は、配線領域の１つとして上大静脈領域を説明する図である。
図２２において、血管領域２３１である静脈領域は、（３〜６，３）と（３〜６，４）の領域により構成する。分割パターン記憶部４０には、図１６のように血管領域を静脈領域として（３〜６，３）と（３〜６，４）との領域を示す‘行３〜６’と‘列３〜４’を設定する。上大静脈領域２７１は、静脈領域の一部分であり、（３〜６，４）の領域により構成する。分割パターン記憶部４０には、上大静脈領域として（３〜６，４）の領域を示す‘行３〜６’と‘列４’を設定する。
上大静脈領域２７１は、図８のＳ２３０の血管領域抽出処理で、抽出される。Ｓ２３０において、血管領域抽出部３２３は、分割パターン記憶部４０が記憶する分割パターン情報の静脈領域の情報に従い血管領域を静脈領域として抽出する。そして、上大静脈領域抽出部３２４は、分割パターン記憶部４０が記憶する分割パターン情報の上大静脈領域の情報に従い上大静脈領域２７１を抽出する。
【００７４】
ライン映像検出部３３は、上大静脈領域２７１について図１８のＳ３１０〜Ｓ３１８の処理を行う。これにより、ライン映像検出部３３は、上大静脈領域２７１に対応するライン映像があるかないかを示すフラグに検出結果を設定する。
なお、ラインパターン記憶部３９には、新たに上大静脈領域に対応するラインパターン情報をあらかじめ利用者によって記憶させておく。
【００７５】
機器植え込み判定部３７は、図２０のＳ４２１〜Ｓ４２７の処理を行う。これにより、機器植え込み判定部３７は、上大静脈領域２７１の画像データについて電子機器が植え込まれている画像データであるか否かを判定する。
なお、サンプル画像データ記憶部３５には、新たに上大静脈領域に対応するサンプル画像データを記憶したファイルのファイル名をあらかじめ利用者によって記憶させておく。また、上大静脈領域に対応するサンプル画像データをあらかじめファイル群９２４にあるファイルに記憶しておく。また、除外画像データ記憶部３６には、新たに上大静脈領域に対応する除外画像データを記憶したファイルのファイル名をあらかじめ利用者によって記憶させておく。また、上大静脈領域に対応する除外画像データをあらかじめファイル群９２４にあるファイルに記憶しておく。
【００７６】
別の方法として、機器植え込み判定部３７は、ライン映像検出部３３により設定される上大静脈領域２７１に対応するフラグがＯＮであるときと、血管領域２３１に対応するフラグがＯＮであるときのいずれかのときに、血管領域２３１について図２０の処理を行うようにしてもかまわない。上大静脈領域２７１に対応するフラグがＯＮであるときは、血管領域２３１に対応するフラグがＯＮである可能性が高いので、いずれかのフラグがＯＮであるときに血管領域２３１について、図２０の処理を行う。
【００７７】
この実施の形態で説明した電子機器植え込み検出装置は、血管領域の一部の領域をさらに上静脈領域として抽出することによって、血管領域のうちの上大静脈領域に領域を絞ってリード線のライン映像が示されている画像データであるか否かを検出する。通常リード線の一端は心臓につながれ（接触され）、リード線が上大静脈の中に配線される。このため、上大静脈領域に絞ってライン映像を検出することにより、ライン映像を検出できる確率を高くできる。この結果、より確実に患者を生命の危機から守ることができる。
【００７８】
実施の形態３．
上記した実施の形態１，２では、配線領域抽出部３２は、分割パターン記憶部４０が記憶する分割パターン情報を参照して、複数種類の配線領域を抽出していた。これに対して、この実施の形態では、放射線技師や看護士の手動により複数種類の配線領域を抽出する例を説明する。
【００７９】
配線領域抽出部３２は、表示部４５により画像データ３０１を表示装置９０１に表示する。このとき、画像データ３０１の表示に重ねて、画像データを縦８個、横８個の同じ大きさの四角に分割する線を表示する。そして、配線領域抽出部３２は、放射線技師や看護士等の利用者に対して、表示部４５により表示装置９０１に表示した画像データから肺野領域、縦隔領域、血管領域、心臓領域、鎖骨下静脈領域、房室領域、上大静脈領域との順に各配線領域を指定させる。領域の指定は、マウス９０３やキーボード９０２を用いて指定させ、指定された配線領域を抽出する情報を入力部４４によって入力する。入力された配線領域を抽出する情報に基づいて、配線領域抽出部３２は、各配線領域を求める。
なお、ここでは、画像データを縦８個、横８個の同じ大きさの四角に分割したが、分割する数は８個に限らず、また、縦と横の数はおなじであっても、異なっていてもよい。また、四角以外の他の形に分割してもよい。
【００８０】
このように、放射線技師や看護士の利用者によりマウス９０３やキーボード９０２を用いて各配線領域を指定させることによって、利用者の経験や、病院の方針に従い各配線領域を抽出できる。
【００８１】
実施の形態４．
実施の形態１では、配線領域抽出部３２は、図８に示すように６つの工程により複数種類の配線領域を抽出していた。しかし、６つの工程のうち１つ以上の工程を選択して、配線領域を抽出するようにしてもかまわない。例えば、肺野領域抽出部３２１のみを選択して、肺野領域のみを抽出する。この場合、ライン映像検出部３３は、肺野領域のみを対象にライン映像の検出を行う。また、機器植え込み判定部３７は、肺野領域のみを対象に電子機器の植え込みを示す画像データであるか否かの判定を行う。
配線領域抽出部３２は、いずれの領域抽出部を選択するかを、放射線技師や看護士の利用者によりマウス９０３やキーボード９０２を用いて指定させ、指定された領域抽出部を示す情報を入力部４４により入力する。配線領域抽出部３２は、指定された領域抽出部を示す情報に基づいて、該当する領域抽出部を有効にさせ、動作させる。また、有効となっている配線領域抽出部がどれであるかをライン映像検出部３３や、ライン端検出部３４、機器植え込み判定部３７に通知する。
【００８２】
このように、放射線技師や看護士に領域抽出部を選択させることにより、放射線技師や看護士の経験値に基づき指定された配線領域を対象に効率よく電子機器の植え込みが行われていることを示す画像データであるか否かを判定できる。動作させる領域抽出部を少なくすると、判定する時間を短縮できるので、迅速に電子機器植え込みの判定結果を出力でき、撮像の処置を待っている患者の負担を軽減できる。
【符号の説明】
【００８３】
１０  単純写真撮影装置、３０  電子機器植え込み検出装置、３１  画像データ入力部、３２  配線領域抽出部、３３  ライン映像検出部、３４  ライン端検出部、３５  サンプル画像データ記憶部、３６  除外画像データ記憶部、３７  機器植え込み判定部、３８  警告出力部、３９  ラインパターン記憶部、４０  分割パターン記憶部、４２  本体領域抽出部、４３  本体検出部、４４  入力部、４５  表示部、５０  画像ファイリングサーバ装置、６０  サーバ装置、７０  端末装置、８０  撮像装置、１００  警告システム、２００  人体、２０１  心臓、２０１ａ  左房室、２０１ｂ  右房室、２０２  右肺、２０３  左肺、２０４  本体、２０５  リード線、２０６  右鎖骨、２０７  左鎖骨、２１１  肺野領域、２２１  縦隔領域、２３１  血管領域、２４１  鎖骨下静脈領域、２５１  心臓領域、２６１  房室領域、２７１  上大静脈領域、３０１  画像データ、３０２  警告信号、３０３  警告情報、３０４  撮像禁止信号、３２１  肺野領域抽出部、３２２  縦隔領域抽出部、３２３  血管領域抽出部、３２４  上大静脈領域抽出部、３２５  鎖骨下静脈領域抽出部、３２６  心臓領域抽出部、３２７  房室領域抽出部、９００  システムユニット、９０１  表示装置、９０２  キーボード、９０３  マウス、９０４  ＦＤＤ、９０５  ＣＤＤ、９０６  プリンタ装置、９０７  スキャナ装置、９３１  電話器、９３２  ファクシミリ機、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９４０  インターネット、９４１  ゲートウェイ、９４２  ＬＡＮ。
【図１】
0004916519.tif 000002
【図２】
0004916519.tif 000003
【図３】
0004916519.tif 000004
【図４】
0004916519.tif 000005
【図６】
0004916519.tif 000006
【図７】
0004916519.tif 000007
【図８】
0004916519.tif 000008
【図９】
0004916519.tif 000009
【図１０】
0004916519.tif 000010
【図１１】
0004916519.tif 000011
【図１２】
0004916519.tif 000012
【図１３】
0004916519.tif 000013
【図１４】
0004916519.tif 000014
【図１５】
0004916519.tif 000015
【図１６】
0004916519.tif 000016
【図１７】
0004916519.tif 000017
【図１８】
0004916519.tif 000018
【図１９】
0004916519.tif 000019
【図２０】
0004916519.tif 000020
【図２１】
0004916519.tif 000021
【図２２】
0004916519.tif 000022
【図５】
0004916519.tif 000023